(57)【要約】【課題】  内刃を一体型としてその生産性を良くし、小刃による斜め切りを可能にして内刃の切れ味を向上させ、内刃の駆動負荷を減少させる。【解決手段】  多数の開口を有する略アーチ状の外刃（１００）に対して、アーチ状の内刃（１０２）に設けた多数の互いに分離した小刃（１２２）を摺接させつつ往復動させることにより、外刃（１００）の開口に進入した髭を前記小刃（１２２）により切断する往復式電気かみそりにおいて、内刃（１０２）は、内刃の往復方向に平行な一対の側縁部（１２０）とこれら側縁部（１２０）に両端が連結された多数の小刃（１２２）とが一体に形成された薄板をアーチ状に湾曲することにより形成され、少なくとも一部の小刃（１２２）はその長手方向に対して屈曲している。【選択図】      図３
2005237787.tif 000002
【特許請求の範囲】
【請求項１】
多数の開口を有する略アーチ状の外刃に対して、アーチ状の内刃に設けた多数の互いに分離した小刃を摺接させつつ往復動させることにより、外刃の開口に進入した髭を前記小刃により切断する往復式電気かみそりにおいて、
前記内刃は、内刃の往復方向に平行な一対の側縁部とこれら側縁部に両端が連結された多数の小刃とが一体に形成された薄板をアーチ状に湾曲することにより形成され、少なくとも一部の小刃はその長手方向に対して屈曲していることを特徴とする往復式電気かみそり。
【請求項２】
屈曲した小刃はその中央付近に屈曲領域を有し両端に直線状領域を有する請求項１のいずれかの往復式電気かみそり。
【請求項３】
屈曲した小刃の屈曲領域の少なくとも谷部付近で、刃面の側縁に形成される刃先のすくい角αを鋭角とした請求項１または２のいずれかの往復式電気かみそり。
【請求項４】
外刃の髭導入用の開口が四角形であって、この四角形の辺が小刃の屈曲領域との間に挟む挟み角θが髭を逃さない範囲の鋭角である請求項１〜３のいずれかの往復式電気かみそり。
【請求項５】
請求項１〜４のいずれかの往復式電気かみそりに用いる内刃。
【請求項６】
請求項１〜４のいずれかの往復式電気かみそりに用いる内刃の製造方法において、
ａ）薄板を内刃の外形およびその長手方向に対して屈曲した小刃をプレス加工し、
ｂ）薄板を略アーチ状に湾曲させ、
ｃ）外周面を研削する、
以上の工程ａ）〜ｃ）を有することを特徴とする往復式電気かみそりの内刃製造方法。
【請求項７】
工程ａ）において、小刃の屈曲領域の少なくとも谷部付近にすくい角を鋭角とした刃先を形成する請求項６の往復式電気かみそりの内刃製造方法。
【発明の詳細な説明】
【技術分野】
【０００１】
この発明は、略アーチ状の外刃の内面に内刃の小刃が摺接して往復動する往復式電気かみそりに関するものである。
【背景技術】
【０００２】
内刃をアーチ状の外刃の内面に摺接させつつ往復動させ、これら外刃に設けた開口（髭導入孔）に入った髭を内刃によって切断する往復式電気かみそりが公知である（特許文献１，２，３）。この種のものにおいて組立型の内刃と一体型の内刃がある。
【０００３】
組立型の内刃は、薄板をアーチ状に打抜いた多数の小刃を一定間隔に並べて保持台に保持したものである（特許文献１，２）。この内刃は多数の小刃を加工し、これらを小刃取付部材に組付けなければならないため、製作工数が増え生産性が悪いという問題がある。
【０００４】
一体型の内刃は全ての小刃を一体化したものである。例えば、金属やセラミックスなどの円筒に、これに直交するスリットを加工することにより、スリットの間に残る部分を小刃とするものがある。また薄板をアーチ状に湾曲させて、アーチ部分にこれに直交するスリットを加工することにより小刃を形成するものも知られている。予めスリットを加工した薄板をアーチ状に湾曲させるものもある（特許文献３）。
【０００５】
【特許文献１】特公昭５９−３２１５１
【特許文献２】特開昭５９−１０１１８２
【特許文献３】特開平１０−３２３４６１
【０００６】
特許文献１には組立型の内刃において、小刃１０の刃先１４を略波状に屈曲させたものが示されている。図８はその小刃１０の刃先１４の形状を刃面側から見た平面図、図９はそのIX−IX線断面図である。この特許文献１ではこの刃先１４の屈曲角βを所定角度範囲に設定することにより、いわゆる斜め切りを可能にし、内刃の負荷を軽くして剃毛効果を高めるものである。
【０００７】
なおこの図８において、１６は外刃の開口であり、円形を想定している。１８は髭である。ここでは小刃１０は図上で水平方向となるｘ方向に往復動する。また図９には、すくい角αを鋭角にすることが示されている。ここにすくい角αは、図９に示すように、小刃１０が外刃に摺接する刃面２２と小刃１０の刃先１４につながる側面２４とが挟む角度αである。このすくい角αを小さくすることにより切れ味を向上させることができる。
【０００８】
特許文献２は組立型の内刃において、外刃の両端付近が外力により変形し易く、この変形により刃を傷めるおそれがあるのを防ぐため、内刃２０の往復方向の両端付近の小刃２０Ｂを波状に折曲したものである。すなわち図１０に示すように小刃２０Ｂを波形にしてその強度を増大させて外刃の変形を防ぐ一方、その間の小刃２０Ａを平面視で直線状にしたものである。
【発明の開示】
【発明が解決しようとする課題】
【０００９】
組立型の内刃では、各小刃は分離しているため、小刃の折曲加工が容易であるが、前記のように多数の小刃を保持台に組付けるのが面倒であり、生産性が悪い。また従来の一体型の内刃では、小刃は内刃の往復方向に対して平面視で直交するものであり屈曲させたものではなかった。すなわち、筒あるいは薄板をアーチ状に折曲したものにスリットを加工するものでは、回転する研削砥石が内刃往復方向ｘに直交して往復動するため、屈曲した小刃を形成することは不可能である。
【００１０】
また特許文献３に示された内刃は、小刃にすくい角αを形成するため回転する研削砥石によって薄板に平行な直線溝を形成し、この薄板の反対の面を平面研削することによって直線状の小刃を分離させ、その後でこの薄板をアーチ状に湾曲させるものである。このように回転研削砥石を用いるため、小刃は平面視で直線状になり、屈曲した小刃を作ることは不可能であった。
【００１１】
この発明はこのような事情に鑑みなされたものであり、内刃を一体型としてその生産性を良くすると共に、小刃による斜め切りを可能にして内刃の切れ味を向上させ、内刃の駆動負荷を減少させることができる電気かみそりを提供することを第１の目的とする。またこの電気かみそりに用いる内刃を提供することを第２の目的とする。さらにこの内刃の製造方法を提供することを第３の目的とする。
【課題を解決するための手段】
【００１２】
この発明によれば第１の目的は、多数の開口を有する略アーチ状の外刃に対して、アーチ状の内刃に設けた多数の互いに分離した小刃を摺接させつつ往復動させることにより、外刃の開口に進入した髭を前記小刃により切断する往復式電気かみそりにおいて、前記内刃は、内刃の往復方向に平行な一対の側縁部とこれら側縁部に両端が連結された多数の小刃とが一体に形成された薄板をアーチ状に湾曲することにより形成され、少なくとも一部の小刃はその長手方向に対して屈曲していることを特徴とする往復式電気かみそり、により達成される。
【００１３】
第２の目的は、請求項１〜４のいずれかの往復式電気かみそりに用いる内刃、により達成される。第３の目的は、請求項１〜４のいずれかの往復式電気かみそりに用いる内刃の製造方法において、ａ）薄板を内刃の外形およびその長手方向に対して屈曲した小刃をプレス加工し、ｂ）薄板を略アーチ状に湾曲させ、ｃ）外周面を研削する、以上の工程ａ）〜ｃ）を有することを特徴とする往復式電気かみそりの内刃製造方法、により達成される。
【発明の効果】
【００１４】
第１の発明によれば、内刃は一体型としたから生産性が良い。また小刃に屈曲領域を設けたから、小刃による斜め切り効果を十分に大きくすることができる。従って切れ味を向上させることができる。
【発明を実施するための最良の形態】
【００１５】
屈曲した小刃はその中央付近だけに屈曲領域を設け、その両側を直線状領域とすることができる（請求項２）。この場合には最も髭の切断に寄与する中央付近の切れ味を向上させる一方、その両側の直線状領域により小刃の強度（剛性）を確保し髭剃り屑の落下を容易にすることができる。
【００１６】
屈曲した小刃の屈曲領域の少なくとも谷部付近に鋭角のすくい角を設けるのが望ましい（請求項３）。すくい角αを鋭角とすることにより切れ味を一層向上させることができるからである。
【００１７】
この場合に小刃の屈曲点のうち小刃の進行方向に位置する山（頂点）に当たった髭は刃先１４によって谷側へ導かれるから、山付近で髭を切断する頻度は少なくなる。このため山付近に加わる負荷は小さくなり欠け難いものである。一方髭は小刃の進み方向に向かって開いた谷となる屈曲点に捕捉されて切断される機会が多くなる。このため小刃の谷部付近の刃先に加わる負荷が大きくなる。すくい角αを鋭角とした場合は刃先はこの谷部付近が最も欠け易くなり、傷み易いものとなる。
【００１８】
この実施例ではこの谷となる屈曲部を挟んで２辺の刃先すなわち鋭角のすくい角をもっていわば庇状に突出した刃先はこの屈曲部で連続し、谷を挟む２辺の刃先が互いに補強し合うことになる。このため刃先が欠けるのを防ぐことができる。また外刃の開口を四角形（平行四辺形、長方形、菱形などを含む）として、この開口の辺が小刃の屈曲領域との間に挟む挟み角を適切に設定することにより、切れ味を向上させることができる。例えば髭を逃さない（移動させない）範囲でできるだけ大きくするのがよく（請求項４）、５°〜２５°が最適である。
【００１９】
第２の発明によれば、この電気かみそりに用いる内刃が得られる。第３の発明によれば、この内刃の製造方法が得られる。
【実施例１】
【００２０】
図１は本発明の一実施例である往復式電気かみそりの内部構造を一部省いて示す概略正面図、図２は同じく概略側面図である。これらの図において、符号１００はアーチ状の外刃、１０２はこの外刃１００の内側で往復するアーチ状の内刃である。外刃１００はフレーム１０４に固定されている。外刃１００はステンレス鋼などの薄板に多数の開口をプレス打抜き、エッチングなどで形成したものであってもよいし、電鋳により作ったものであってもよい。
【００２１】
内刃１０２は電気モータ１０６によって往復駆動される。その駆動系は以下のように構成される。フレーム１０４から起立する左右一対の支柱１０８，１０８の上端面に、樹脂製の振動子１１０を左右に揺動自在に吊る一方、モータ１０６の回転軸に固定したクランクピン１１２をこの振動子１１０に設けた長溝（図１で紙面に垂直な）に係合させる。この結果モータ１０６の回転軸が回転すると、振動子１１０が図１で左右に往復動する。
【００２２】
この振動子１１０には支柱１１４が突設され、この支柱１１４に内刃１０２の保持部１１６が保持されている。ここに保持部１１６は、支柱１１４に上下動自在にガイドされる一方、コイルばね１１８により上方への復帰習性が付与されている。この結果内刃１０２は、コイルばね１１８により外刃１００の内面に弾接されつつモータ１０６により往復駆動されるものである。
【００２３】
図３は内刃１０２の展開平面図、図４はその小刃の屈曲領域の拡大図、図５は図４におけるＶ−Ｖ線断面図、図６は内刃の製造工程図である。内刃１０２は、内刃１０２の往復方向ｘと平行な側縁部１２０，１２０と、両側縁部１２０，１２０を連結する多数の小刃１２２とを有する。内刃１０２はステンレス鋼やセラミックスの薄板にプレス加工、研削加工、などを施すことによって作られるものである。
【００２４】
小刃１２２は往復方向ｘに直交する直線１２４と平行な直線領域１２６と、中央付近に位置する屈曲領域１２８とを有する。ここに屈曲領域１２８は、図４に示すように、屈曲角βが約９０°となるように略クランク状に折曲されている。なお小刃１２２の進行方向ｘに向って開く谷部１３０を挟む２辺が進行方向ｘと角度β1，β2（ただしβ＝β1＋β2）は等しくないが（β1≠β2）、等しくしてもよい（β1＝β2）。また谷部１３０と隣の山部１３２との間の辺の長さｌ2は、谷部１３０または山部１３２と直線領域１２６との間の辺の長さｌ1よりも大きい。
【００２５】
小刃１２２は往復方向ｘの両側の刃先に、図５に示すようにすくい角αを持つ。すなわち小刃１２２は、外刃１００（図１，２）の内面に摺接する刃面１３４と、これに直交するリブ１３６と、刃面１３４の側縁である刃先１３８からリブ１３６につながる傾斜した側面１４０とを持ち、この側面１４０と刃面１３４とが挟む角度がすくい角αとなっている。
【００２６】
次に図６に基づいて内刃１０２の製作工程の一例を説明する。まず薄板を用意し（ステップＳ１００）、この薄板から内刃１０２の展開形状（外形形状）と小刃１２２の間隙（スリット）とをプレス打抜き加工する（ステップＳ１０２）。このプレス打抜きすみの素材にすくい角αを例えばプレス加工により形成する（ステップＳ１０４）。このプレス加工は、上・下の金型の一方を平らに他方に溝を設けてこの溝の開口縁を断面三角形に面取りしておく一方、金型に設けた溝に工程Ｓ１０２で作った小刃となるリブ部分を導きつつ上・下の金型の合面間で幅広に変形させるものである。この幅広の変形部分は後記の外周研削加工工程（ステップＳ１１０）によってすくい角αを持つ刃先に加工される。
【００２７】
このように小刃となるリブ部分に幅広変形部を加工（ステップＳ１０４）した後、この素材をアーチ状に湾曲させる。例えば上・下の金型の間に挟んで絞り加工する（ステップＳ１０６）。次にこの素材を焼入れした後（ステップＳ１０８）、外周面を研削加工する（ステップＳ１１０）。この研削により、小刃の幅広変形部の頂面が平坦な刃面に加工され、これと同時に鋭角のすくい角αが形成される。このすくい角は３０°以下にすると切れ味は著しく向上する。
【実施例２】
【００２８】
図７は他の実施例である小刃を説明する図である。この図で１５０は小刃の屈曲領域における刃先を示し、屈曲点１５２の屈曲角β（＝β1＋β2）は約１２０°となっている。ここに屈曲点１５２を挟む２辺１５０Ａ、１５０Ｂが往復方向ｘと成す角度β1，β2はそれぞれ７０°，５０°となっている。１５４は外刃の開口を示す。開口１５４は長方形であり、その長辺は往復方向ｘと角度γ（γ＝約３０°）傾いている。
【００２９】
この場合には小刃１５０の屈曲点１５２を挟む一辺１５０Ａが開口１５４の短辺との間に挟む角度（挟み角）θ1は約１０°、他の辺１５０Ｂが他の開口１５４の長辺との間に挟む角度（挟み角）θ2は約２０°となる。このように小刃１５０が開口１５４と挟む角度（挟み角）θ1，θ2を小さく（望ましくは５〜２５°）することにより、この角度θ1，θ2の間に入った髭を移動させることなく（髭を逃すことなく）良好に切断することができる。
【００３０】
この実施例において、小刃１５０のすくい角αを図５に示したもののように、鋭角とすれば、一層切れ味は良好になる。また小刃１５０の進行方向に向かって開いた谷となる屈曲点１５２で、この谷を挟む２辺１５０Ａ、１５０Ｂの刃先はこの谷で互いに接続されて補強されることになるから、刃先の切れ味の劣化と刃先の欠けが防止される。
【図面の簡単な説明】
【００３１】
【図１】往復式電気かみそりの内部構造を一部省いた概略正面図
【図２】同じく概略側面図
【図３】内刃の展開平面図
【図４】その小刃の屈曲領域の拡大図
【図５】図４におけるＶ−Ｖ線断面図
【図６】内刃の製作工程を示す図
【図７】他の実施例である小刃の説明図
【図８】従来の小刃の刃先形状を示す平面図
【図９】そのIX−IX線断面図
【図１０】従来の内刃を示す図
【符号の説明】
【００３２】
１００  外刃
１０２  内刃
１２２、１５０  小刃
１２６  屈曲領域
１２８  直線状領域
１３０  谷（屈曲点）
１３２  山（屈曲点）
１５０  屈曲領域の刃先
１５０Ａ、１５０Ｂ  屈曲点を挟む２辺
１５２  屈曲点
α  すくい角
β  小刃の屈曲角
θ  挟み角
ｘ  往復方向（進行方向）
【図１】
2005237787.tif 000003
【図２】
2005237787.tif 000004
【図３】
2005237787.tif 000005
【図４】
2005237787.tif 000006
【図５】
2005237787.tif 000007
【図６】
2005237787.tif 000008
【図７】
2005237787.tif 000009
【図８】
2005237787.tif 000010
【図９】
2005237787.tif 000011
【図１０】
2005237787.tif 000012